(57)【特許請求の範囲】
【請求項１】
板状体の装置基材を有し、この装置基材には複数の小根太が間隔を介して配設されており、この装置基材には該装置基材側に温度調節媒体を供給する媒体供給接続口と該媒体供給接続口から供給した温度調節媒体の媒体戻り接続口とが箱体にそれぞれ複数ずつ配設された接続ヘッダーが組み込まれており、前記装置基材には、少くとも接続ヘッダー側から該装置基材の半分側に小根太を迂回しＵターン部を介して引き回した後装置基材の残り半分側を同じく小根太を迂回しＵターン部を介して引き回して接続ヘッダー側に戻る循環パイプが敷設されており、少くともこの隣り合う循環パイプを通る温度調節媒体の流れの向きが装置基材の半分側を通る往きの流れと装置基材の残りの半分側を通る戻りの流れとの逆向きの流れとなるように各循環パイプの隣り合う端末が前記接続ヘッダーの媒体供給接続口と媒体戻り接続口へ接続されており、少くとも温度調節媒体が戻り向きに流れている循環パイプの最終のＵターン部の戻り口側循環パイプが隣り合う温度調節不良領域の放熱表面側が局部的に放熱体で覆われていることを特徴とする冷・暖房装置。
【請求項２】
板状体の装置基材を有し、この装置基材には複数の小根太が間隔を介して配設されており、この装置基材には該装置基材側に温度調節媒体を供給する媒体供給接続口と該媒体供給接続口から供給した温度調節媒体の媒体戻り接続口とが箱体にそれぞれ複数ずつ配設された接続ヘッダーが組み込まれており、前記装置基材には、少くとも接続ヘッダー側から該装置基材の半分側に小根太を迂回しＵターン部を介して引き回した後装置基材の残り半分側を同じく小根太を迂回しＵターン部を介して引き回して接続ヘッダー側に戻る循環パイプが敷設されており、少くともこの複数本の隣り合う循環パイプを通る温度調節媒体の流れの向きが装置基材の半分側を通る往きの流れと装置基材の残りの半分側を通る戻りの流れとの逆向きの流れとなるように各循環パイプの隣り合う端末が前記接続ヘッダーの媒体供給接続口と媒体戻り接続口へ接続されており、少くとも温度調節媒体が戻り向きに流れている戻り口側の循環パイプが最後に前記小根太を挟んでＵターンする部位の当該小根太およびその両側の隣り合う戻り口側循環パイプを含む温度調節不良領域の放熱表面側が局部的に放熱体で覆われていることを特徴とする冷・暖房装置。
【請求項３】
放熱体は、Ｕターン部の温度調節不良領域と隣り合う、温度調節媒体が往き向きに流れている往き側循環パイプの温度調節良好領域の一部にかかるように拡大伸張して前記Ｕターン温度調節不良領域の放熱表面側に局部的に被覆されていることを特徴とする請求項１又は請求項２記載の冷・暖房装置。
【請求項４】
装置基材はマットにより形成されていることを特徴とする請求項１又は請求項２又は請求項３記載の冷・暖房装置。
【発明の詳細な説明】
【０００１】
【産業上の利用分野】
本発明は、室内の壁や天井やフローリングの床等の冷・暖房を行う冷・暖房装置に関するものである。
【０００２】
【従来の技術】
フローリング等の床暖房を行う暖房装置として、温水式の温水暖房マットが知られている。図７および図９には、この温水暖房マット１の一例が示されており、温水暖房マット１はプラスチック等の断熱発泡基材を板状に形成して成る装置基材としてのマット基材２に、骨材としての複数の小根太３を間隔を介して配設し、四角形状をしたマット基材２の一辺の中央部に組み込み装備された温水接続ヘッダー（接続ヘッダー）４を温水の出入口として、１本以上、図７の例では２本の温水循環パイプ（循環パイプ）５ａ，５ｂが小根太３を迂回し、Ｕターン部５５を介しながら引き回して敷設されている。
【０００３】
図８に示すように、温水接続ヘッダー４は温水供給側のヘッダー６と温水戻り側のヘッダー７とに分離されており、ヘッダー６側には温水循環パイプ５ａ，５ｂの入口側が接続され、ヘッダー７側には温水循環パイプ５ａ，５ｂの出口側が接続されている。一般に、２本の温水循環パイプ５ａ，５ｂは、図７に示すように、ヘッダー６側から小根太３を迂回し、Ｕターン部５５を介しながらマット基材２の半分側に引き回されて折り返された後、同様にマット基材２の残りの半分側を引き回してヘッダー７に戻る形態で並列状に敷設されている。なお、マット基材２の放熱表面側には必要に応じ、図９に示すように放熱材としてのアルミニウム箔８が張設される。
【０００４】
この温水暖房マット１を設置施工する場合には、図９に示すように、例えば、フローリング室の床パネル１０の上側に温水暖房マット１を敷設する。そして、マット１の上側にフローリング床材１１を張り、釘１２によりフローリング床材１１を根太１３に固定する。そして、図７に示すように、ヘッダー６側には往管１４が接続され、ヘッダー７には戻り管１５が接続されて、往管１４と戻り管１５とからなる熱源器９の外部温水循環路（外部循環路）１６と温水循環パイプ５ａ，５ｂとが温水接続ヘッダー４を介して接続されるものであった。
【０００５】
フローリングの床暖房は、前記温水暖房マットの温水循環パイプ５ａ，５ｂに熱源器９から外部温水循環路１６を通して温度調節媒体である温水を循環させることにより、温水循環パイプ５ａ，５ｂからの熱はフローリングの床下から放熱されてフローリング床材１１に伝わることにより行われる。
【０００６】
【発明が解決しようとする課題】
しかしながら、従来の温水暖房マット１は温水循環パイプ５ａ，５ｂにより、熱源器９から送られてくる温水を、まず、マット１の半分側に通して放熱した後に、マット１の残りの半分側に通して暖房する方式であるため、温水が最初に通るマット１の半分側の領域は比較的効率良く床暖房を行うことができるのであるが、マット１の残りの半分側はほぼ放熱しきった戻りの湯が通るために、放熱熱量が小さくなって、暖房が効率的に行われず、このため、温水暖房マット１の一方側半分領域と他方側半分領域とで温度むら（温度差）が生じるという問題がある。
【０００７】
特に、面積の大きい大型の温水暖房マット１を敷設した場合にはその一方側半分領域と他方側半分領域との温度むらが大きくなり、フローリングの床面を広い範囲にわたって均一に暖房できないという問題があった。本発明者はマット１の左右両側で温度差を測定したところ、例えば、熱源器９から８０℃〜９０℃の温水を供給して、床面の暖房温度をほぼ２５℃になるように動作させたところ、最初に温水が通る半分領域と、温水の戻り側の残り半分側の領域とでは７℃もの温度差が生じるという結果が確認され、このような事態においては、温水の往側の領域では熱すぎ、戻り側の領域では寒すぎるという結果となり、温水暖房マット１の全領域にわたって快適な均一温度でもって暖房することは極めて困難となり、快適な住環境の提供を図る上で支障があった。
【０００８】
本発明は上記課題を解決するためになされたものであり、その目的は、面積の広い大型の冷・暖房装置を敷いた場合においても、その装置の全面領域にわたり温度むらがなく均一な快適温度でもって床等の暖房や冷房を行うことができる冷・暖房装置を提供することにある。
【０００９】
【課題を解決するための手段】
本発明は上記目的を達成するために、次のように構成されている。すなわち、第１の発明は、板状体の装置基材を有し、この装置基材には複数の小根太が間隔を介して配設されており、この装置基材には該装置基材側に温度調節媒体を供給する媒体供給接続口と該媒体供給接続口から供給した温度調節媒体の媒体戻り接続口とが箱体にそれぞれ複数ずつ配設された接続ヘッダーが組み込まれており、前記装置基材には、少くとも接続ヘッダー側から該装置基材の半分側に小根太を迂回しＵターン部を介して引き回した後装置基材の残り半分側を同じく小根太を迂回しＵターン部を介して引き回して接続ヘッダー側に戻る循環パイプが敷設されており、少くともこの隣り合う循環パイプを通る温度調節媒体の流れの向きが装置基材の半分側を通る往きの流れと装置基材の残りの半分側を通る戻りの流れとの逆向きの流れとなるように各循環パイプの隣り合う端末が前記接続ヘッダーの媒体供給接続口と媒体戻り接続口へ接続されており、少くとも温度調節媒体が戻り向きに流れている循環パイプの最終のＵターン部の戻り口側循環パイプが隣り合う温度調節不良領域の放熱表面側が局部的に放熱体で覆われていることを特徴として構成されている。
【００１０】
第２の発明は、板状体の装置基材を有し、この装置基材には複数の小根太が間隔を介して配設されており、この装置基材には該装置基材側に温度調節媒体を供給する媒体供給接続口と該媒体供給接続口から供給した温度調節媒体の媒体戻り接続口とが箱体にそれぞれ複数ずつ配設された接続ヘッダーが組み込まれており、前記装置基材には、少くとも接続ヘッダー側から該装置基材の半分側に小根太を迂回しＵターン部を介して引き回した後装置基材の残り半分側を同じく小根太を迂回しＵターン部を介して引き回して接続ヘッダー側に戻る循環パイプが敷設されており、少くともこの複数本の隣り合う循環パイプを通る温度調節媒体の流れの向きが装置基材の半分側を通る往きの流れと装置基材の残りの半分側を通る戻りの流れとの逆向きの流れとなるように各循環パイプの隣り合う端末が前記接続ヘッダーの媒体供給接続口と媒体戻り接続口へ接続されており、少くとも温度調節媒体が戻り向きに流れている戻り口側の循環パイプが最後に前記小根太を挟んでＵターンする部位の当該小根太およびその両側の隣り合う戻り口側循環パイプを含む温度調節不良領域の放熱表面側が局部的に放熱体で覆われていることを特徴として構成されている。
【００１１】
また、前記放熱体は、Ｕターン部の温度調節不良領域と隣り合う、温度調節媒体が往き向きに流れている往き側循環パイプの温度調節良好領域の一部にかかるように拡大伸張して前記Ｕターン温度調節不良領域の放熱表面側に局部的に被覆されていることも本発明の特徴的な構成とされている。
【００１２】
【作用】
上記構成の本発明において、装置基材に敷設される互いに隣り合う循環パイプは、少くとも隣り合う循環パイプを通る温度調節媒体の流れの向きが、装置基材の半分側を通る往きの流れと装置基材の残りの半分側を通る戻りの流れと逆向きとなるように循環パイプの両端側が接続ヘッダーの媒体供給接続口と媒体戻り接続口に接続されているために、装置基材の半分側と残りの半分側とで温度むらが生じることが抑制され、冷・暖房装置の全面領域にわたって放熱される冷・暖の熱量はほぼ均一化される。そして、温度調節媒体が戻り向きに流れている戻り口側循環パイプの少くとも最後のＵターン部に形成される温度調節不良領域の放熱表面側を局部的に放熱体で覆うことにより、前記Ｕターン部の温度調節不良領域において放熱される冷・暖の熱量の放熱効率が向上し、このＵターン部の温度調節不良領域の放熱表面側温度が局部的に高くなったり、低くなったりして温度調節不良状態となることが抑制され、冷・暖房装置の全面領域にわたって温度むらのない均一温度での快適な床等の冷・暖房が達成される。
【００１３】
【実施例】
以下、本発明の実施例を図面に基づいて説明する。なお、本実施例の説明において、従来例と同一の構成部分には同一符号を付し、その重複説明は省略する。図１には本発明に係る冷・暖房装置の一実施例が温水暖房マットを例にして示されている。本実施例において特徴的なことは、接続ヘッダーを特有な構成をもって形成し、かつその接続ヘッダーと循環パイプの接続方式を特有な構成することにより、温水暖房マット２０の隣り合う温水循環パイプ（循環パイプ）５ａ，５ｂを通る温水の流れの向きが、装置基材としてのマット基材２の半分側を通る往きの流れとマット基材２の残りの半分側を通る戻りの流れとの逆向きの流れとなるようにしたことと、少くとも温水が戻り向きに流れている戻り口側温水循環パイプ（戻り口側循環パイプ）５ａ，５ｂのＵターン部５５ａ，５５ｂに形成される低温領域（温度調節不良領域）の放熱表面側（上側）を放熱体としてのアルミニウム箔１８により覆ったことである。
【００１４】
なお、同図において、Ｕターン部５５ａは、温水循環パイプ５ａが小根太３を挟んでＵターンして形成されたＵターン部であり、Ｕターン部５５ｂは、温水循環パイプ５ｂが小根太３を挟まずにＵターンしている折り返しのＵターン部となっている。本実施例の上記以外の構成は従来例と同様であり、以下、本実施例の温水暖房マット２０に組み込まれる温水接続ヘッダー（接続ヘッダー）２１の構成例を説明する。
【００１５】
図２は温水暖房マット２０に組み込まれる温水接続ヘッダー２１の一例を示すものである。この温水接続ヘッダー２１は、扁平四角形状の上面開口の箱容器２２と、この箱容器２２の上面開口を気密閉鎖する蓋板２３と、箱容器２２内に収容される変形Ｙ字形状パイプ２４とを有している。
【００１６】
変形Ｙ字形状パイプ２４は胴体部２５の頭部側に２本の腕２６ａ，２６ｂが二股状に開いて分岐形成されており、胴体部２５の基端側（下端側）には、一方側の腕２６ａとほぼ平行になる方向に折り曲げられた折曲部２７が形成されている。
【００１７】
前記箱容器２２の上端面には、前記変形Ｙ字形状パイプ２４の折曲部２７が嵌まる凹部２８と、腕２６ａが嵌まる凹部２９と、腕２６ｂが嵌まる凹部３０とが形成され、これらの凹部２８，２９，３０に変形Ｙ字形状パイプ２４の折曲部２７、腕２６ａ，２６ｂを嵌め込むことにより、変形Ｙ字形状パイプ２４は箱容器２２内に収容される。この変形Ｙ字形状パイプ２４の収容状態で、箱容器２２の上面開口に蓋板２３が被せられて一体固定されることで、箱容器２２と蓋板２３とが一体化して扁平な四角形状の箱体３１が構成され、この箱体３１内に前記変形Ｙ字形状パイプ２４が気密に収容固定された状態となっている。
【００１８】
箱体３１内に変形Ｙ字形状パイプ２４が収容された状態で、変形Ｙ字形状パイプ２４の３個のパイプ開口端３２〜３４は箱体３１の３側面に突出して露出し、箱体３１の対向側面３５，３６から突出するパイプ開口端３２，３３は変形Ｙ字形状パイプ２４によって形成される往通路３７の温水供給接続口（媒体供給接続口）３８，３９となっており、箱体３１の他の側面４０から突出するパイプ開口端３４は外部温水循環路（外部循環路）１６の往管１４が接続する往管接続口４１となっている。
【００１９】
箱体３１の内部空間は戻り通路４２となっており、この戻り通路４２に連通させて箱体３１の側面３５，３６，４０にそれぞれ箱体接続口４３，４４，４５が外に向けて突出形成されている。箱体接続口４３，４４は温水戻り接続口（媒体戻り接続口）４６，４７となっており、箱体接続口４５は外部温水循環路１６の戻り管１５が接続する戻り管接続口４８となっている。この温水接続ヘッダー２１は図１に示す如く、マット基材２の下辺の中央部に装備され、温水戻り接続口４６には温水循環パイプ５ａの一端側が接続され、温水供給接続口３８には温水循環パイプ５ｂの一端側が接続される。また、対向面側の温水供給接続口３９には温水循環パイプ５ａの他端側が接続され、温水戻り接続口４７には温水循環パイプ５ｂの他端側がそれぞれ接続される。
【００２０】
図３は温水暖房マット２０に装備される温水接続ヘッダー２１の別の例を示すものである。この温水接続ヘッダー２１は箱体３１内に２個の変形Ｙ字形状パイプ２４ａ，２４ｂを互いに上下を逆にして斜めに交差させた状態で収容し、変形Ｙ字形状パイプ２４ａを往通路として構成し、他方の変形Ｙ字形状パイプ２４ｂを戻り通路として構成したものであり、それ以外の構成は前記図２に示した温水接続ヘッダーと同様である。
【００２１】
変形Ｙ字形状パイプ２４ａの３個のパイプ開口端は箱体３１の側面３５，３６，４０からそれぞれ突出されており、側面３５のパイプ開口端は温水供給接続口３８として機能し、側面３６から突出するパイプ開口端は温水供給接続口３９として機能し、側面４０から突出するパイプ開口端は往管接続口４１として機能する。また、変形Ｙ字形状パイプ２４ｂの箱体側面３５から突出するパイプ開口端は温水戻り接続口４６として機能し、側面３６から突出するパイプ開口端は温水戻り接続口４７として機能し、側面４０から突出するパイプ開口端は戻り管接続口４８として機能している。
【００２２】
そして、この温水接続ヘッダー２１は温水暖房マット２０の下辺の中央部に装備され、前記図２に示す温水接続ヘッダーと同様に、温水戻り接続口４６には温水循環パイプ５ａの一端側が、温水供給接続口３８には温水循環パイプ５ｂの一端側が、温水供給接続口３９には温水循環パイプ５ａの他端側が、温水戻り接続口４７には温水循環パイプ５ｂの他端側が、往管接続口４１には往管１４が、戻り管接続口４８には戻り管１５がそれぞれ接続される。
【００２３】
図４は温水暖房マット２０に組み込まれる温水接続ヘッダー２１のさらに別の例を示すものである。この温水接続ヘッダー２１は、２個のＴ字形状パイプ５０，５１を上下同方向にし、横と縦に配列ピッチ間隔Δｘ，Δｙを保った状態で箱体３１内に収容したもので、一方のＴ字形状パイプ５０は往通路を構成し、他方のＴ字形状パイプ５１は戻り通路を構成している。Ｔ字形状パイプ５０の３個のパイプ開口端は箱体３１の側面５２，３６，４０に露出して突出されており、箱体側面５２側に突出するパイプ開口端は温水供給接続口３８として機能し、側面３６側に突出するパイプ開口端は温水供給接続口３９として機能し、側面４０に突出するパイプ開口端は往管接続口４１として機能している。
【００２４】
また、他方側のＴ字形状パイプ５１の３個のパイプ開口端も同じく箱体３１の側面５２，３６，４０にそれぞれ露出して突出されており、側面５２に突出するパイプ開口端は温水戻り接続口４６として機能し、側面３６に突出するパイプ開口端は温水戻り接続口４７として機能し、側面４０から突出するパイプ開口端は戻り管接続口４８として機能している。そして、前記図２および図３に示す温水接続ヘッダーと同様に、温水戻り接続口４６には温水循環パイプ５ａの一端側が、温水供給接続口３８には温水循環パイプ５ｂの一端側が、温水供給接続口３９には温水循環パイプ５ａの他端側が、温水戻り接続口４７には温水循環パイプ５ｂの他端側が、往管接続口４１には往管１４が、戻り管接続口４８には戻り管１５がそれぞれ接続される構成となっている。
【００２５】
本実施例の温水暖房マット２０においては、温水暖房マット２０に組み込まれる温水接続ヘッダー２１を、上記図２〜４に示す構成とし、２本の並列状に敷設される温水循環パイプ５ａ，５ｂの一端側は、温水戻り接続口４６と温水供給接続口３８へそれぞれ温水の流れの向きが、マット基材２の半分側を通る往きの流れとマット基材２の残りの半分側を通る戻りの流れとの逆向きの流れとなるように交互に接続し、同様に、温水循環パイプ５ａ，５ｂの他端側も温水供給接続口３９と温水戻り接続口４７へそれぞれ温水の流れの向きが前記往きの流れと前記戻りの流れとの逆向きとなるように交互に接続することにより、図１に示す温水暖房マット２０の左半分側では、温水循環パイプ５ａ側は往き側の温水の流れ方向となり、温水循環パイプ５ｂ側は戻り方向の温水の流れとなり、温水暖房マット２０の右半分側では温水循環パイプ５ａ側は戻り方向の温水の流れとなり、温水循環パイプ５ｂは湯水の往き側の流れとなる。
【００２６】
このように、温水循環マット２０の一方側の半分側（図１では左側）と残りの半分側（図１では右半分側）とで、隣接する温水循環パイプ５ａ，５ｂを通る温水の流れの向きは必ずマット基材２０の半分側を通る往きの流れとマット基材２０の残りの半分側を通る戻りの流れとの逆向きの流れとなり、従来例のように、温水暖房マットの半分側の温水循環パイプは共に往きの温水の流れとなり、温水暖房マットの残りの半分側の温水循環パイプ５ａ，５ｂは共に戻りの向きの温水が流れるというような温水の同方向の流れとなることはなく、必ず、隣り合う温水循環パイプ５ａ，５ｂには逆向きの温水の流れが生じる結果、温水暖房マット２０の一方の半分側と残りの半分側での温水循環パイプ５ａ，５ｂからの総合的（トータル的）な放熱量がほぼ等しくなる。
【００２７】
また、温水が戻り向きに流れている戻り口側温水循環パイプ５ａ，５ｂのＵターン部５５ａ，５５ｂは、温水循環パイプ５ａ，５ｂを流れる温水の向きが戻りの流れの向きであることから、温度調節媒体としての温水による温度調節が不良となって局部的に低温となり、このＵターン部５５ａ，５５ｂに低温領域が形成される。特に、小根太３は、一般に、プラスチックや木材等から形成されており、放熱効率が低いために、小根太３を挟んだＵターン部５５ａの上側（放熱表面側）は局部的に温度むらが生じ易いが、本実施例では、Ｕターン部５５ａ，５５ｂの低温領域の放熱表面側がアルミニウム箔１８で覆われているために、この低温領域において放熱される熱量の放熱効率が向上し、その結果、低温領域の上側温度が局部的に低くなることが抑制される。
【００２８】
以上のことから、本実施例においては、温水暖房マット２０の左右領域で暖房による温度むらが発生するということがなくなり、また、局部的な温度むらの発生もなくなり、面積の広い大型の温水暖房マット２０を敷設した場合においても、同マット２０の全領域にわたって温度むらのない均一な床暖房が可能となり、快適な住暖房環境を作り出すということができることとなる。
【００２９】
図５には、本発明の冷・暖房装置の第２の実施例として、図１とは異なる構成の温水暖房マットの構成例が示されている。本実施例が上記第１の実施例と異なる特徴的なことは、アルミニウム箔１８を、Ｕターン部５５ａ，５５ｂの低温領域（温度調節不良領域）と隣り合う高温領域（温度調節良好領域）にかかるように拡大伸張して、前記Ｕターン低温領域の放熱表面側（上側）に被覆したことである。なお、前記高温領域は、温水が往き向きに流れている往き側温水循環パイプ（往き側循環パイプ）５ａ，５ｂが敷設されて形成されている。本実施例の上記以外の構成は上記第１の実施例と同様に構成されている。
【００３０】
本実施例は以上のように構成されており、本実施例でも上記第１の実施例と同様の効果を奏し、さらに、本実施例では、アルミニウム箔１８による被覆を、Ｕターン部５５ａ，５５ｂの低温領域と隣り合う高温領域まで拡大伸張することにより、高温領域の熱をアルミニウム箔１８により蓄熱して低温領域側で放熱することにより、低温領域の上側温度が低くなることを効果的に抑制し、温水循環マット２０の全領域に渡って温度むらのない均一な床暖房を行うことが可能となる。
【００３１】
なお、本発明は上記実施例に限定されることはなく、様々な実施の態様を採り得る。例えば、温水接続ヘッダー２１を形成するときに、図２に示す温水接続ヘッダー２１では、変形Ｙ字形状パイプ２４の通路を往通路とし、箱体３１の内部空間を戻り通路としたが、これを逆にし、変形Ｙ字形状パイプ２４の通路を戻り通路とし、箱体３１の内部空間を往通路としてもよい。
【００３２】
また、上記実施例では温水暖房マット２０に２本の温水循環パイプ５ａ，５ｂを敷設したが、３本以上の複数個の温水循環パイプを敷設してもよい。この場合には、その温水循環パイプの数に対応させて、変形Ｙ字形状パイプ２４，２４ａ，２４ｂやＴ字形状パイプ５０，５１の分岐開口端（パイプ開口端）の数を増加し、図２に示す温水接続ヘッダーの場合には箱体側面３５，３６側に設ける箱体接続口の数も同様に増やすこととなる。このように、温水循環パイプの本数が増加した場合も、前記実施例と同様に、温水循環パイプ群の両端側は隣り合うパイプの温水の流れが逆向きとなるように温水接続ヘッダー２１の温水供給接続口と温水戻り接続口へ交互に接続することとなる。
【００３３】
さらに、上記実施例では、少くとも温水循環パイプ５ａ，５ｂのＵターン部５５ａ，５５ｂの低温領域放熱表面側を放熱体としてのアルミニウム箔１８により被覆したが、放熱体は必ずしもアルミニウム箔１８にするとは限らず、例えばアルミニウム以外の銅等の材料でもよく、また、箔よりは多少厚みを有する板材によって構成してもよい。
【００３５】
また、上記実施例では、温水接続ヘッダー２１は、箱体３１内に変形Ｙ字形状パイプやＴ字形状パイプを収容して往通路あるいは戻り通路を形成したが、変形Ｙ字形状やＴ字形状と異なる形状のパイプを用いて往通路や戻り通路を箱体３１内に形成することも可能である。また、変形Ｙ字形状パイプを用いる場合には、例えば、図３の（ａ）や図４の破線で示すように、異なる形状の変形Ｙ字形状パイプとすることもできる。
【００３６】
さらに、上記実施例では、温水接続ヘッダー２１の箱体３１を扁平四角体としたが、例えば、図６に示すような、四角形以外の扁平多角形の箱体としてもよく、あるいは、扁平の円や楕円形状の箱体としてもよい。また、箱体は必ずしも扁平でなくてもよい。
【００３７】
さらに、温水暖房マット２０に組み込まれる温水接続ヘッダー２１の箱体３１はステンレス等の金属や他の金属材料を用いて形成されるが、金属以外の材料、例えばプラスチック材料を用いて箱体３１を形成することも可能である。また、箱体３１内に収容する変形Ｙ字形状やＴ字形状のパイプ材料も、通常は、銅等の熱伝導性に優れた金属材料を用いて形成されるが、これもプラスチック等の他の材料を用いて形成することも可能であり、さらには、温水循環パイプ５ａ，５ｂも銅等の熱伝導性に優れた金属材料を用いて形成する以外に、プラスチック等の金属以外の材料を用いて形成することも可能である。
【００３８】
さらに、マット基材２は四角形としたがそれ以外の形状であってもよく、また、実施例では温水接続ヘッダー２１をマット基材２の一辺の中央に配設したが、その配設位置は必ずしも一辺の中央に設けなくてもよく、仕様に応じた他の適宜の位置に設けることができるものである。
【００３９】
さらに、上記実施例では温水暖房を例に説明したが、熱源器から加熱しない水又は冷却した水を循環供給することにより、循環パイプ５ａ，５ｂから冷熱が放射されて冷房を行うことができる。この場合も暖房の場合と同様にマット基材２の一方側半分領域と他方側半分領域の放熱量のバランスがとれ、マット表面全域にわたり温度むらのない均一な床冷房を達成することができる。
【００４０】
さらに、上記実施例ではマット２０を床パネル１０の上に敷設する例で説明したが、建物（室内）の壁内や天井に敷設して、室内の暖房や冷房を行うようにしてもよい。
【００４１】
さらに、実施例では基材をマットの例で説明したが、マット以外の基材でもよく、また、温度調節媒体として水を使用したが、蒸気や冷媒等の他の媒体を使用して冷・暖房を行うようにしてもよい。
【００４２】
さらに、上記実施例では、温水接続ヘッダー２１の各構成例として、箱体３１の外面に複数の媒体供給接続口（温水供給接続口）と複数の媒体戻り接続口（温水戻り接続口）を設ける例について説明したが、１本の循環パイプを装置基材（マット基材）に敷設する場合（実施例の変形例の場合）は、箱体３１の外面に１個の媒体供給接続口と１個の媒体戻り接続口が設けられることになる。この場合には冷・暖房の温度むらが生じない態様で、１本の循環パイプを装置基材（マット基材）に引き回し敷設することとなる。
【００４３】
さらに、図１０に示すように、温水接続ヘッダー部で交差する循環路と交差しない循環路とを設けることもできる。
【００４４】
【発明の効果】
本発明によれば、接続ヘッダーの箱体に、温度調節媒体を供給する媒体供給接続口と温度調節媒体の戻り口としての媒体戻り接続口を露出形成し、冷・暖房装置の装置基材に敷設される複数本の循環パイプの両端側を前記接続ヘッダーの媒体供給接続口と媒体戻り接続口へ接続して、少くとも隣り合う循環パイプを通る温度調節媒体の流れの向きが装置基材の半分側を通る往きの流れと戻りの流れとの逆向きの流れとなるように構成したものであるから、面積の広い大型の冷・暖房装置を敷設した場合にも、冷・暖房装置の一方側の半分領域と残りの他方側の半分領域とで放熱量にむらが生じるという従来例の欠点がなくなり、冷・暖房装置の全面領域からほぼ等しい冷房や暖房の熱量を放熱できるようになる。
【００４５】
そして、温度調節媒体が戻り向きに流れている戻り口側循環パイプの少くとも最後のＵターン部に形成される温度調節不良領域の放熱表面側を局部的に放熱体で覆うことにより、前記Ｕターン部の温度調節不良領域において放熱される冷房や暖房の熱量の放熱効率が向上し、Ｕターン部の温度調節不良領域の放熱表面側温度が局部的に温度調節不良となることを抑制し、その結果、冷・暖房装置の全面領域にわたって温度むらのない均一な冷・暖房を行うことが可能となり、以上のことにより、快適な冷・暖房環境を作り出すことが可能となる。
【図面の簡単な説明】
【図１】本発明に係る冷・暖房装置の第１の実施例である温水暖房マットを示す構成説明図である。
【図２】本発明の実施例の温水暖房マットに装備される温水接続ヘッダーの一例を示す構成説明図である。
【図３】同じく本発明の実施例の温水暖房マットに装備される温水接続ヘッダーの別の例を示す構成説明図である。
【図４】同じく本発明の実施例の温水暖房マットに装備される温水接続ヘッダーのさらに別の例を示す構成説明図である。
【図５】本発明に係る冷・暖房装置の第２の実施例である温水暖房マットを示す構成説明図である。
【図６】上記実施例の温水暖房マット等に装備される温水接続ヘッダーの他の形態例を示す説明図である。
【図７】一般的な温水暖房マットの暖房システムの説明図である。
【図８】従来の温水暖房マットに装備される従来の一般的な温水接続ヘッダーの説明図である。
【図９】温水暖房マットの敷設施工状態の説明図である。
【図１０】温水接続ヘッダーと温水循環パイプの他の接続例を示す実施例説明図である。
【符号の説明】
２  マット基材
３  小根太
５ａ，５ｂ  温水循環パイプ
１８  アルミニウム箔
２０  温水暖房マット
２１  温水接続ヘッダー
３１  箱体
３８，３９  温水供給接続口
４６，４７  温水戻り接続口
５５ａ，５５ｂ  Ｕターン部
【図１】
0003579117.tif 000002
【図２】
0003579117.tif 000003
【図３】
0003579117.tif 000004
【図４】
0003579117.tif 000005
【図５】
0003579117.tif 000006
【図６】
0003579117.tif 000007
【図７】
0003579117.tif 000008
【図８】
0003579117.tif 000009
【図９】
0003579117.tif 000010
【図１０】
0003579117.tif 000011